(57)【要約】【課題】  親局通信装置と子局通信装置との間で通信試験を行う場合に、容易に広範囲の構成要素の試験を行うことができる光通信ネットワークシステムを提供する。【解決手段】  本発明は、子局通信装置と、子局通信装置とＰＯＮにより接続している親局通信装置とを備える光通信ネットワークシステムに関する。そして、親局通信装置は、通信試験要求データを挿入した通信制御信号を送信する手段と、受信した通信制御応答信号から通信試験報告データを取得する手段とを有することを特徴とする。そして、子局通信装置は、受信した通信制御信号に通信試験要求データが含まれている場合に当該子局通信装置内で通信試験を行う手段と、通信試験報告データを挿入した通信制御応答信号を生成して親局通信装置に送信する手段とを有することを特徴とする。【選択図】      図１
2013175930.tif 000002
【特許請求の範囲】
【請求項１】
１又は複数の子局通信装置と、それぞれの上記子局通信装置とＰＯＮにより接続している親局通信装置とを備える光通信ネットワークシステムにおいて、
上記親局通信装置は、
上記子局通信装置に対する通信制御信号を生成して、上記子局通信装置に送信する通信制御信号送信手段と、
上記通信制御信号送信手段が送信する通信制御信号に、通信試験の実行を要求することを示す通信試験要求データを挿入することが可能な通信試験要求手段と、
通信制御信号に対する通信制御応答信号を、上記子局通信装置から受信する通信制御応答信号受信手段と、
受信した通信制御応答信号に、通信試験要求データに対する通信結果情報を含む通信試験報告データが含まれている場合に、当該通信試験報告データを取得する通信試験報告取得手段とを有し、
それぞれの上記子局通信装置は、
上記親局通信装置から、通信制御信号を受信する通信制御信号受信手段と、
受信した通信制御信号に、通信試験要求データが含まれている場合に、当該子局通信装置内で通信試験を行う通信試験実行手段と、
通信制御信号に応答する通信制御応答信号を生成して上記親局通信装置に送信する通信制御応答信号送信手段と、
上記通信制御応答信号送信手段が生成する通信制御応答信号に、上記通信試験実行手段が行った通信試験の通信試験結果情報を含む通信試験報告データを挿入することが可能な通信試験報告手段とを有する
ことを特徴とする光通信ネットワークシステム。
【請求項２】
それぞれの上記子局通信装置は、子局側ネットワークに接続するための子局側インタフェース部を備え、
上記通信試験実行手段は、当該子局通信装置の上記子局側インタフェース部との通信試験を行うことを特徴とする請求項１に記載の光通信ネットワークシステム。
【請求項３】
それぞれの上記子局通信装置は、通信制御信号処理部を備え、上記通信制御信号処理部は、上記通信制御信号受信手段、上記通信試験実行手段、上記通信制御応答信号送信手段、及び通信試験報告手段として機能することを特徴とする請求項２に記載の光通信ネットワークシステム。
【請求項４】
親局通信装置とＰＯＮにより接続することが可能な子局通信装置において、
上記親局通信装置から、通信制御信号を受信する通信制御信号受信手段と、
受信した通信制御信号に、通信試験の実行を要求することを示す通信試験要求データが含まれている場合に、当該子局通信装置内で通信試験を行う通信試験実行手段と、
通信制御信号に応答する通信制御応答信号を生成して上記親局通信装置に送信する通信制御応答信号送信手段と、
上記通信制御応答信号送信手段が生成する通信制御応答信号に、上記通信試験実行手段が行った通信試験の通信試験結果情報を含む通信試験報告データを挿入することが可能な通信試験報告手段とを有する
ことを特徴とする子局通信装置。
【請求項５】
１又は複数の子局通信装置のそれぞれとＰＯＮにより接続することが可能な親局通信装置において、
上記子局通信装置に対する通信制御信号を生成して、上記子局通信装置に送信する通信制御信号送信手段と、
上記通信制御信号送信手段が送信する通信制御信号に、通信試験の実行を要求することを示す通信試験要求データを挿入することが可能な通信試験要求手段と、
通信制御信号に対する通信制御応答信号を、上記子局通信装置から受信する通信制御応答信号受信手段と、
受信した通信制御応答信号に、通信試験要求データに対する通信結果情報を含む通信試験報告データが含まれている場合に、当該通信試験報告データを取得する通信試験報告取得手段と
を有することを特徴とする親局通信装置。
【発明の詳細な説明】
【技術分野】
【０００１】
この発明は、光通信ネットワークシステム、子局通信装置及び親局通信装置に関し、例えば、ＰＯＮ（Ｐａｓｓｉｖｅ  Ｏｐｔｉｃａｌ  Ｎｅｔｗｏｒｋ）等の光通信ネットワークシステムに適用することができる。
【背景技術】
【０００２】
従来、１つの親局通信装置としてのＯＬＴ（Ｏｐｔｉｃａｌ  Ｌｉｎｅ  Ｔｅｒｍｉｎａｌ）の配下で、１又は複数の子局通信装置としてのＯＮＵ（Ｏｐｔｉｃａｌ  Ｎｅｔｗｏｒｋ  Ｕｎｉｔ）がＰＯＮ接続された光通信ネットワークシステムでは、ＯＬＴ側からＯＮＵへの信号導通確認を行う場合、以下のような試験方法があった。
【０００３】
従来の第１の試験方法は、ＰＯＮに関する標準技術であるＩＥＥＥ８０２．３ａｈで定義された方法である。ＩＥＥＥ８０２．３ａｈでは、ＯＬＴから、ＯＮＵが搭載するＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）に関する処理構成（以下、「ＯＡＭ送受信部」と呼ぶ）との間で、試験用フレームの送受信を行い、正常な送受信ができたか否かで、試験結果の判定を行うという方法（以下、「ＯＡＭ−ＬＯＯＰ試験」と呼ぶ）が記載されている。なお、ＯＡＭ処理部は、ＯＮＵにおいてＰＯＮの物理層の保守運用機能を行う処理構成である。
【０００４】
従来の第２の試験方法は、特許文献１に記載された方法である。特許文献１では、ＯＮＵ側で下位側（ユーザ側）の物理インタフェース（ＰＨＹ）の構成要素（ＰＨＹチップ）に対して、ＯＬＴからの試験用フレームを折り返し処理（ループバック処理）するように制御し、ＯＬＴでは当該ＯＮＵに送信した試験用フレームが正常にループバックされて受信できたか否かで、試験結果の判定を行う方法（以下、「ＰＨＹ−ＬＯＯＰ試験」と呼ぶ）が記載されている。
【先行技術文献】
【特許文献】
【０００５】
【特許文献１】特開２００８−１０９１７７号公報
【発明の概要】
【発明が解決しようとする課題】
【０００６】
しかしながら、従来のＰＯＮにおけるＰＨＹ−ＬＯＯＰ試験では、ＯＮＵ側で下位側（ユーザ側）の物理インタフェース（ＰＨＹ）に対して、試験フレームを折り返し処理するように制御した場合、外部（ユーザ側ネットワーク）から入力される上り信号、及び、ＯＬＴ側から入力される下り信号が遮断され、主信号の通信影響を及ぼすことになるため、運用中に容易に試験を行うことができないという問題があった。
【０００７】
また、従来のＰＯＮにおけるＯＡＭ−ＬＯＯＰ試験では、ＯＮＵにおける導通確認範囲がＯＡＭ送受信部までとなってしまうため、ＯＡＭ送受信部よりも下位側（ユーザネットワーク側）の処理構成（例えば、特許文献１の図４に示す「ＵＮＩ−ＰＨＹ」、「ＵＮＩ−ＭＡＣ」、「ブリッジ部」等）については、ＯＬＴ側から導通確認ができないという問題点があった。
【０００８】
そのため、親局通信装置と子局通信装置との間で通信試験を行う場合に、容易に広範囲の構成要素の試験を行うことができる光通信ネットワークシステム、子局通信装置及び親局通信装置が望まれている。
【課題を解決するための手段】
【０００９】
第１の本発明は、１又は複数の子局通信装置と、それぞれの上記子局通信装置とＰＯＮにより接続している親局通信装置とを備える光通信ネットワークシステムにおいて、（１）上記親局通信装置は、（１−１）上記子局通信装置に対する通信制御信号を生成して、上記子局通信装置に送信する通信制御信号送信手段と、（１−２）上記通信制御信号送信手段が送信する通信制御信号に、通信試験の実行を要求することを示す通信試験要求データを挿入することが可能な通信試験要求手段と、（１−３）通信制御信号に対する通信制御応答信号を、上記子局通信装置から受信する通信制御応答信号受信手段と、（１−４）受信した通信制御応答信号に、通信試験要求データに対する通信結果情報を含む通信試験報告データが含まれている場合に、当該通信試験報告データを取得する通信試験報告取得手段とを有し、（２）それぞれの上記子局通信装置は、（２−１）上記親局通信装置から、通信制御信号を受信する通信制御信号受信手段と、（２−２）受信した通信制御信号に、通信試験要求データが含まれている場合に、当該子局通信装置内で通信試験を行う通信試験実行手段と、（２−３）通信制御信号に応答する通信制御応答信号を生成して上記親局通信装置に送信する通信制御応答信号送信手段と、（２−４）上記通信制御応答信号送信手段が生成する通信制御応答信号に、上記通信試験実行手段が行った通信試験の通信試験結果情報を含む通信試験報告データを挿入することが可能な通信試験報告手段とを有することを特徴とする。
【００１０】
第２の本発明は、親局通信装置とＰＯＮにより接続することが可能な子局通信装置において、（１）上記親局通信装置から、通信制御信号を受信する通信制御信号受信手段と、（２）受信した通信制御信号に、通信試験の実行を要求することを示す通信試験要求データが含まれている場合に、当該子局通信装置内で通信試験を行う通信試験実行手段と、（３）通信制御信号に応答する通信制御応答信号を生成して上記親局通信装置に送信する通信制御応答信号送信手段と、（４）上記通信制御応答信号送信手段が生成する通信制御応答信号に、上記通信試験実行手段が行った通信試験の通信試験結果情報を含む通信試験報告データを挿入することが可能な通信試験報告手段とを有することを特徴とする。
【００１１】
第３の本発明は、１又は複数の子局通信装置のそれぞれとＰＯＮにより接続することが可能な親局通信装置において、（１）上記子局通信装置に対する通信制御信号を生成して、上記子局通信装置に送信する通信制御信号送信手段と、（２）上記通信制御信号送信手段が送信する通信制御信号に、通信試験の実行を要求することを示す通信試験要求データを挿入することが可能な通信試験要求手段と、（３）通信制御信号に対する通信制御応答信号を、上記子局通信装置から受信する通信制御応答信号受信手段と、（４）受信した通信制御応答信号に、通信試験要求データに対する通信結果情報を含む通信試験報告データが含まれている場合に、当該通信試験報告データを取得する通信試験報告取得手段とを有することを特徴とする。
【発明の効果】
【００１２】
本発明によれば、親局通信装置と子局通信装置との間で通信試験を行う場合に、容易に広範囲の構成要素の試験を行うことができる光通信ネットワークシステムを提供することができる。
【図面の簡単な説明】
【００１３】
【図１】実施形態に係るＯＮＵ及びＯＬＴの機能的構成について示したブロック図である。
【図２】実施形態に係る光通信ネットワークシステムの全体構成について示したブロック図である。
【図３】実施形態に係るＯＮＵとＯＬＴの間で送受信されるフレーム構成について示したブロック図である
【図４】実施形態に係るＯＮＵ内部で送受信されるフレーム構成について示したブロック図である。
【図５】実施形態に係る光通信ネットワークシステムの動作について示したシーケンス図である。
【発明を実施するための形態】
【００１４】
（Ａ）主たる実施形態
以下、本発明による光通信ネットワークシステム、子局通信装置及び親局通信装置の一実施形態を、図面を参照しながら詳述する。この実施形態の子局通信装置、親局通信装置は、それぞれＯＮＵ、ＯＬＴである。
【００１５】
（Ａ−１）実施形態の構成
図２は、この実施形態の光通信ネットワークシステム１の全体構成を示すブロック図である。
【００１６】
光通信ネットワークシステム１には、ＯＬＴ１０（親局通信装置）及び、Ｎ個のＯＮＵ２０（２０−１〜２０−Ｎ）（子局通信装置）が配置されている。
【００１７】
ＯＬＴ１０と各ＯＮＵ２０との間は、光スプリッタ３０（複数分岐としても良い）により分岐された光ファイバ４０で接続されている。すなわち、ＯＬＴ１０と各ＯＮＵ２０によりＰＯＮ（ＧＥ−ＰＯＮ）が形成されている。
【００１８】
図２では、ＯＬＴ１０は、図示しない上位側ネットワーク（親局側ネットワーク）と接続している。なお、ＯＬＴ１０が図示しない上位側ネットワークに接続する構成は限定されないものである。
【００１９】
一方、図２において図示は省略しているが、それぞれのＯＮＵ２０の配下には、ユーザネットワークＵＮ（子局側ネットワーク）が接続されている。すなわち、それぞれのＯＮＵ２０は、配下のユーザネットワークＵＮを構成する通信装置（例えば、ルータ、スイッチ装置、コンピュータ等の通信装置）と接続している。なお、ＯＮＵ２０自体に、ユーザネットワークＵＮを構成するためのルータやスイッチを搭載するようにしても良い。ユーザネットワークＵＮ内部の構成について限定されないものであり、例えば、１台の端末だけで構成されたものであっても良い。
【００２０】
次に、ＯＮＵ２０の内部構成について説明する。この実施形態では、ＯＮＵ２０は全て同じ構成であるものとする。
【００２１】
ＯＮＵ２０は、ＰＯＮ光送受信部２１、ＰＯＮ送信部２２、ＰＯＮ受信部２３、ＭＰＣＰ送受信部２４、ＯＡＭ送受信部２５、ブリッジ部２６、ＵＮＩ送受信部２７、及びＰＨＹチップ２８を有している。
【００２２】
ＰＯＮ光送受信部２１は、ＯＮＵ２０で、ＰＯＮ側（光ファイバ４０）と接続するための物理インタフェースの機能（物理的終端機能）を担っている。なお、ＰＯＮ光送受信部２１については、例えば、既存のＧＥ−ＰＯＮ（例えば、ＩＥＥＥ８０２．３ａｈに対応したＧＥ−ＰＯＮ）を構成するＯＮＵと同様のものを適用することができる。
【００２３】
ＰＯＮ送信部２２及びＰＯＮ受信部２３は、ＯＮＵ２０で、ＰＯＮ側（光ファイバ４０）と接続するための送受信信号の信号処理を行う論理インタフェース機能（論理的終端機能）を担っている。なお、ＰＯＮ送信部２２及びＰＯＮ受信部２３については、例えば、既存のＧＥ−ＰＯＮ（例えば、ＩＥＥＥ８０２．３ａｈに対応したＧＥ−ＰＯＮ）を構成するＯＮＵと同様のものを適用することができる。
【００２４】
ＭＰＣＰ送受信部２４は、ＯＬＴ１０との間で、ＬＬＩＤ等の識別子を用いたフレーム単位の信号送受信等を行う処理等のＭＰＣＰ（Ｍｕｌｔｉ−ｐｏｉｎｔ  ＭＡＣ  Ｃｏｎｔｒｏｌ）に関する処理を行うものである。
【００２５】
ＭＰＣＰ送受信部２４は、ＰＯＮ光送受信部２１が受信したフレームからイーサネット（登録商標）フレーム（ＭＡＣフレーム）を抽出して、ＯＡＭ送受信部２５に引き渡す。なお、この実施形態では、ＭＰＣＰ送受信部２４とブリッジ部２６は、ＯＡＭ送受信部２５を介した接続構成となっているが、ブリッジ部２６とも直接接続するように構成しても良い。その場合、ＭＰＣＰ送受信部２４は、イーサネットフレームの内容（例えば、タイプ値等）に応じて、ＯＡＭ送受信部２５とブリッジ部２６に引き渡すイーサネットフレームを振り分ける処理を行う。
【００２６】
また、ＭＰＣＰ送受信部２４は、ＯＬＴ１０側から送信される信号の内容に応じて、当該ＯＮＵ２０内での通信試験（以下、「信号導通試験」と呼ぶ）を実行する機能も担っている。具体的には、ＭＰＣＰ送受信部２４は、ＯＬＴ１０から受信するゲートフレームの内容に応じて、ＵＮＩ送受信部２７との通信を伴う試験を実行する。ＯＮＵ２０内で行われる信号導通試験の内容については後述する。
【００２７】
ＭＰＣＰ送受信部２４では、上述の信号導通試験に関係する処理以外の信号処理（例えば、主信号に関する処理等）については、既存のＰＯＮに対応したＯＮＵと同様のＭＰＣＰの処理（例えば、ＩＥＥＥ８０２．３ａｈで標準化されているプロトコルに従った処理）を適用することができる。なお、ＭＰＣＰ送受信部２４が行う信号導通試験の内容については、後述する。
【００２８】
ＯＡＭ送受信部２５は、保守制御に関する処理（例えば、ＯＬＴ１０との間の制御信号の送受信）等を行うものである。ＯＡＭ処理部２３も、既存のＰＯＮに対応したＯＮＵと同様のＯＡＭの処理（例えば、ＩＥＥＥ８０２．３ａｈで標準化されているプロトコルに従った処理）を適用することができる。ＯＡＭ送受信部２５は、ＭＰＣＰ送受信部２４から受信したイーサネットフレームのうち、ＯＡＭに関するイーサネットフレームについて処理し、それ以外のイーサネットフレームについてはブリッジ部２６に引き渡す処理を行う。
【００２９】
ブリッジ部２６は、ＭＰＣＰ送受信部２４とユーザネットワークとの間のＭＡＣ層（レイヤ２）に関する通信制御を行うブリッジの機能を担っている。なお、ブリッジ部２６については、例えば、既存のＧＥ−ＰＯＮ（例えば、ＩＥＥＥ８０２．３ａｈに対応したＧＥ−ＰＯＮ）を構成するＯＮＵと同様のものを適用することができる。
【００３０】
ブリッジ部２６は、ＭＰＣＰ送受信部２４からＯＡＭ送受信部２５を介して受信したイーサネットフレームについて対応するユーザネットワークＵＮ側のインタフェース（ＵＮＩ送受信部２７）に引き渡す。また、ブリッジ部２６は、ユーザネットワークＵＮ側のインタフェース（ＵＮＩ送受信部２７）から受信したイーサネットフレームについて、ＯＡＭ送受信部２５を介してＭＰＣＰ送受信部２４へ引き渡す。
【００３１】
ＵＮＩ送受信部２７は、ＯＮＵ２０において、ユーザネットワークＵＮ（子局側ネットワーク）と接続するための信号処理を行う論理インタフェースの機能（論理的終端機能）を担っている。また、ＵＮＩ送受信部２７は、ＭＰＣＰ送受信部２４からの制御に応じて、信号導通試験の処理を行う機能にも対応している。ＵＮＩ送受信部２７が行う信号導通試験に関連する処理の詳細については後述する。なお、ＵＮＩ送受信部２７の内部構成の詳細については後述する。
【００３２】
ＰＨＹチップ２８は、ＯＮＵ２０において、ユーザネットワークＵＮ（子局側ネットワーク）と接続するための物理インタフェースの機能（物理的終端機能）を担っている。
【００３３】
なお、ＰＨＹチップ２８については、例えば、既存のＧＥ−ＰＯＮ（例えば、ＩＥＥＥ８０２．３ａｈに対応したＧＥ−ＰＯＮ）を構成するＯＮＵと同様のものを適用することができる。
【００３４】
次に、ＯＬＴ１０の内部構成について説明する。
【００３５】
ＯＬＴ１０は、ＰＯＮ光送受信部１１、ＰＯＮ送信部１２、ＰＯＮ受信部１３、ＭＰＣＰ送受信部１４、ＯＡＭ送受信部１５、ブリッジ部１６、ＳＮＩ送受信部１７、及びＰＨＹチップ１８を有している。
【００３６】
ＰＯＮ光送受信部１１は、ＯＬＴ１０で、ＰＯＮ側（光ファイバ４０）と接続するための物理インタフェースの機能（物理的終端機能）を担っている。
【００３７】
ＰＯＮ送信部１２及びＰＯＮ受信部１３は、ＯＬＴ１０で、ＰＯＮ側（光ファイバ４０）と接続するための送受信信号の信号処理を行う論理インタフェース機能（論理的終端機能）を担っている。
【００３８】
ＭＰＣＰ送受信部１４は、各ＯＮＵ２０との間で、ＬＬＩＤ等の識別子を用いたフレーム単位の信号送受信等を行う処理等のＭＰＣＰに関する処理を行うものである。  ＭＰＣＰ送受信部１４は、ＰＯＮ光送受信部１１が受信したフレームからイーサネットフレーム（ＭＡＣフレーム）を抽出して、ＯＡＭ送受信部１５に引き渡す。
【００３９】
また、ＭＰＣＰ送受信部１４は、各ＯＮＵ２０に対して信号導通試験の実行を要求し、当該要求に対する報告を取得（試験結果の取得）する信号導通試験管理処理も行う。なお、ＭＰＣＰ送受信部１４が行う信号導通試験管理処理の内容については後述する。
【００４０】
ＯＡＭ送受信部１５は、保守制御に関する処理（例えば、各ＯＮＵ２０との間の制御信号の送受信）等を行うものである。ＯＡＭ処理部１３も、ＯＡＭ送受信部１５は、ＭＰＣＰ送受信部１４から受信したイーサネットフレームのうち、ＯＡＭに関するイーサネットフレームについて処理し、それ以外のイーサネットフレームについてはブリッジ部１６に引き渡す処理を行う。
【００４１】
ブリッジ部１６は、ＭＰＣＰ送受信部１４とサーバネットワークＳＮ（親局側ネットワーク）との間のＭＡＣ層（レイヤ２）に関する通信制御を行うブリッジの機能を担っている。ブリッジ部１６は、ＭＰＣＰ送受信部１４から受信したイーサネットフレームについて対応するサーバネットワークＳＮ（親局側ネットワーク）のインタフェース（ＳＮＩ送受信部１７）に引き渡す。また、ブリッジ部１６は、サーバネットワークＳＮ側のインタフェース（ＳＮＩ送受信部１７）から受信したイーサネットフレームについて、ＭＰＣＰ送受信部１４へ引き渡す。
【００４２】
ＳＮＩ送受信部１７は、ＯＬＴ１０において、サーバネットワークＳＮ（親局側ネットワーク）と接続するための信号処理を行う論理インタフェースの機能（論理的終端機能）を担っている。
【００４３】
ＰＨＹチップ１８は、ＯＬＴ１０において、サーバネットワークＳＮ（親局側ネットワーク）と接続するための物理インタフェースの機能（物理的終端機能）を担っている。
【００４４】
なお、図１では、ＯＬＴ１０の構成例について示しているが、ＯＬＴ１０は、上述の各ＯＮＵ２０に対する信号導通試験管理処理に関する処理構成以外については限定されないものであり、例えば、既存のＧＥ−ＰＯＮ（例えば、ＩＥＥＥ８０２．３ａｈに対応したＧＥ−ＰＯＮ）を構成するＯＬＴと同様のものを適用することができる。この実施形態では、上述の信号導通管理処理について、ＭＰＣＰ送受信部１４が行うものとして説明するが、ＭＰＣＰ送受信部１４以外の構成要素で行うようにしてもよい。
【００４５】
次に、ＯＬＴ１０とＯＮＵ２０との間で行われる信号導通試験の詳細について説明する。
【００４６】
図３は、ＯＬＴ１０（ＭＰＣＰ送受信部１４）と、ＯＮＵ２０（ＭＰＣＰ送受信部２４）との間で送受信されるゲートフレーム及びレポートフレームの内容について示した説明図である。図３（ａ）は、信号導通試験要求のゲートフレームの構成を示しており、図３（ｂ）は、信号導通試験結果報告のレポートフレームの構成を示している。
【００４７】
ＯＬＴ１０（ＭＰＣＰ送受信部２４）では、ＯＮＵ２０に対して、導通試験の要求を行う場合、当該ＯＮＵ２０に対する通信制御（ＭＰＣＰ制御）のために送信するゲートフレームに、信号導通試験要求のデータを含めて送信する。
【００４８】
ＯＬＴ１０が送信するゲートフレーム内で、信号導通試験要求に関する情報を設定する位置については限定されないものであるが、この実施形態では、図３（ａ）に示すように、ＩＥＥＥ８０２．３ａｈで定義されるゲートフレーム内で、ユーザが利用することが可能なリザーブ領域ＲＡＧを用いるものとする。図３（ａ）に示すように、ＯＬＴ１０から送信されるゲートフレームのリザーブ領域ＲＡＧには、信号導通試験要求に関する情報として、少なくとも「試験フラグ」、「試験タイプ」、及び「シーケンス番号」という３つのパラメータが設定されているものとする。すなわち、ＭＰＣＰ送受信部２４は、任意のＯＮＵ２０に信号導通試験要求を行う場合、次にＭＰＣＰ送受信部２４が当該ＯＮＵ２０宛のゲートフレームを生成するときに、リザーブ領域ＲＡＧに信号導通試験要求のデータ（試験フラグ、試験タイプ、及びシーケンス番号）を設定する処理を行う。
【００４９】
ゲートフレームにおける「試験フラグ」のパラメータは、信号導通試験を行うか否かを示すものであり、この実施形態では、例として「０」又は「１」が設定されるものとする。ゲートフレームにおける「試験フラグ」のパラメータとして「１」が設定されていた場合は、そのゲートフレームを受信したＭＰＣＰ送受信部２４は、信号導通試験要求があったと認識し、当該ＯＮＵ２０内の信号導通試験に関する処理を開始する。一方、ゲートフレームにおける「試験フラグ」のパラメータとして「０」が設定されていた場合は、そのゲートフレームを受信したＭＰＣＰ送受信部２４は、信号導通試験要求がなかったと認識し、信号導通試験に関する処理は特に行わない。
【００５０】
ゲートフレームにおける「試験タイプ」のパラメータは、ＯＬＴ１０で要求する信号導通試験の内容を示すものである。なお、この「試験タイプ」の項目については省略するようにしてもよいが、「試験タイプ」を設けることによりＯＬＴ１０から要求する信号導通試験の内容を、ＯＮＵ２０ごとに異なる条件とすること等に用いることができる。この実施形態では、説明を簡易とするために、「試験タイプ」の値は同じ値（例えば、「１」等の固定値）が設定されるものとする。
【００５１】
ゲートフレームにおける「シーケンス番号」のパラメータは、ＯＬＴ１０からの信号導通試験要求を管理するための番号である。この実施形態では、ＯＬＴ１０から当該ＯＮＵ２０に、最初に送信される信号導通試験要求のゲートフレーム（試験フラグがＯＮ（１）となっているゲートフレーム）のシーケンス番号は１とし、以後の信号導通試験要求のゲートフレームでは、２、３、…、とシーケンス番号が増えていくものとする。なお、このシーケンス番号は、所定数まで到達した後、再度１から始まるように設定してもよい。
【００５２】
上述のように、ＯＮＵ２０側（ＭＰＣＰ送受信部２４）は、ＯＬＴ１０から、ＭＰＣＰのゲートフレームを受信すると、当該ゲートフレームの内容（リザーブ領域ＲＡＧ）を検査し、信号導通試験要求の有無を確認する。そして、ゲートフレームに信号導通試験要求が含まれていた場合（試験フラグが「１」だった場合）、ＯＮＵ２０（ＭＰＣＰ送受信部２４）は、信号導通試験の処理をＯＮＵ２０内部で行い、試験結果に関する情報を、次に送信するＭＰＣＰのレポートフレームに含めて、ＯＬＴ１０側に報告（以下、「信号導通試験結果報告」と呼ぶ）する。
【００５３】
ＯＮＵ２０（ＭＰＣＰ送受信部２４）が送信するレポートフレーム内で、信号導通試験報告に関する情報を設定する位置については限定されないものであるが、この実施形態では、図３（ｂ）に示すように、ＩＥＥＥ８０２．３ａｈで定義されるレポートフレーム内で、ユーザが利用することが可能なリザーブ領域ＲＡＲを用いるものとする。図３（ｂ）に示すように、ＭＰＣＰ送受信部２４が送信するレポートフレームのリザーブ領域ＲＡＲには、信号導通試験報告に関する情報として、「試験フラグ」、「試験結果データ」、及び「シーケンス番号」という３つのパラメータ設定されているものとする。
【００５４】
レポートフレームにおける「試験フラグ」のパラメータは、当該レポートフレームに信号導通試験報告の情報が含まれるか否かを示すものであり、この実施形態では、例として「０」又は「１」が設定されるものとする。レポートフレームにおける「試験フラグ」のパラメータとして「１」が設定されていた場合は、そのレポートレームを受信したＯＬＴ１０では、当該レポートフレームには信号導通試験要求に対する信号導通試験報告が含まれている（試験結果データが挿入されている）と認識し、当該レポートフレームを構成するリザーブ領域ＲＡＲの試験結果データ及びシーケンス番号の項目のデータを取得することができる。一方、レポートフレームにおける「試験フラグ」のパラメータとして「０」が設定されていた場合は、そのレポートフレームを受信したＯＬＴ１０では、信号導通試験報告がなかったと認識し、信号導通試験報告のデータを取得する処理を行わない。
【００５５】
レポートフレームにおける「シーケンス番号」は、当該レポートフレームに挿入された試験結果データが、いずれの信号導通試験要求のシーケンス番号に対応するものであるのかを示すパラメータである。ＭＰＣＰ送受信部２４では、ＯＬＴ１０から信号導通試験要求を含むゲートフレーム（試験フラグが「１」となっているゲートフレーム）を受信すると、その信号導通試験要求に基づく信号導通試験を行った後、当該信号導通試験要求のシーケンス番号と、当該信号導通試験の試験結果データとを含む信号導通試験報告を、次のレポートフレームに挿入する。レポートフレームにおける「試験結果データ」の形式については後述する。
【００５６】
次に、信号導通試験要求を受けたＭＰＣＰ送受信部２４が、ＯＮＵ２０内部で行う信号導通試験の内容及び、信号導通試験結果報告に含まれる試験結果データの内容について説明する。
【００５７】
ＭＰＣＰ送受信部２４では、ＯＬＴ１０から信号導通試験要求を受信すると、当該信号導通試験要求に基づいて、ユーザネットワークＵＮ側（子局側ネットワーク側）のインタフェースに対する信号導通試験を行う。この実施形態のＭＰＣＰ送受信部２４では、ＵＮＩ送受信部２７との通信を行うことにより、信号導通試験を実行するものとする。
【００５８】
具体的には、ＭＰＣＰ送受信部２４は、ＵＮＩ送受信部２７とイーサネットフレームを送受信することにより、信号導通試験を実行する。すなわち、ＭＰＣＰ送受信部２４は、ＵＮＩ送受信部２７に対して試験用のイーサネットフレーム（以下、「試験フレーム」と呼ぶ）を送信し、試験フレームを受信したＵＮＩ送受信部２７は、試験フレームに対して応答するイーサネットフレーム（以下、「試験応答フレーム」と呼ぶ）を送信する。
【００５９】
図４は、ＯＮＵ２０内で送受信される試験フレーム及び試験応答フレームの構成例について示した説明図である。図４（ａ）は、ＭＰＣＰ送受信部２４からＵＮＩ送受信部２７に送信される試験フレームの構成例について示している。また、図４（ｂ）は、ＵＮＩ送受信部２７からＭＰＣＰ送受信部２４に送信される試験応答フレームの構成例について示している。
【００６０】
図４に示すように、試験フレーム及び試験応答フレーム（イーサネットフレーム）には、所定のタイプ値として未定義（ユーザが利用することが可能）のタイプ値である１５０１が適用される。
【００６１】
ＵＮＩ送受信部２７では、タイプ値が１５０１であるイーサネットフレームを受信すると、当該イーサネットフレームが、試験フレームであることを認識し、試験応答フレーム（タイプ値が１５０１のイーサネットフレーム）を生成してＭＰＣＰ送受信部２４宛に送信する。また、ＭＰＣＰ送受信部２４では、ＵＮＩ送受信部２７からタイプ値が１５０１であるイーサネットフレームを受信すると、当該イーサネットフレームが、試験応答フレームであることを認識し、その試験応答フレームの受信結果に基づいて、試験結果データを生成する。
【００６２】
なお、試験フレーム及び試験応答フレームに設定するタイプ値は１５０１に限定されず、その他の値としても良い。また、試験フレーム及び試験応答フレームのデータ部の内容やデータサイズについては限定されないものであるが、所定の試験用パターン(例えば、全て１のビットパターン)で構成されたデータとしても良い。
【００６３】
そして、ＭＰＣＰ送受信部２４では、ＵＮＩ送受信部２７からの応答結果に基づいて、信号導通試験の試験結果データを生成する。この実施形態では、ＭＰＣＰ送受信部２４は、ＵＮＩ送受信部２７から、所定時間内に試験応答フレームが正常に受信できた場合に、信号導通試験の結果が成功（ＯＫ）であることを示す「１」を試験結果データとして生成するものとする。また、ＭＰＣＰ送受信部２４は、ＵＮＩ送受信部２７から、所定時間内に試験応答フレームが正常に受信できなかった場合や、正常な試験応答フレームを受信できなかった場合（例えば、正常性チェック（ＦＣＳチェック）でエラーが発生した場合等）には、信号導通試験の結果が失敗（ＮＧ）であることを示す「０」を試験結果データとして生成するものとする。
【００６４】
この実施形態では、ＭＰＣＰ送受信部２４が生成する試験結果データ（信号導通試験結果報告を構成する試験結果データ）は０又は１の形式であるものとするが、試験結果データの形式はこれに限定されないものである。例えば、ＭＰＣＰ送受信部２４が、所定回数（例えば、１００回）ＵＮＩ送受信部２７と試験フレーム及び試験応答フレームの送受信を行った場合に、その成功率や平均応答時間等を、試験結果データとして生成するようにしても良い。また、ＯＮＵ２０に複数のインタフェース（ＵＮＩ送受信部２７及びＰＨＹチップ２８）が搭載されていた場合には、インタフェースごとのフレーム送受信結果を試験結果データとして生成するようにしても良い。
【００６５】
次に、ＵＮＩ送受信部２７の詳細構成について説明する。図１に示すように、この実施形態のＵＮＩ送受信部２７は、論理フレーム抽出回路２７１、フレーム生成部２７２、Ｄｕａｌポートメモリ２７３、及びＭＵＸ２７４を有している。
【００６６】
論理フレーム抽出回路２７１は、ブリッジ部２６を介してＭＰＣＰ送受信部２４から受信したフレームから試験フレームを抽出（ドロップ）して取得し、試験フレーム以外のフレームをＰＨＹチップ２８に転送する。そして、論理フレーム抽出回路２７１は、試験フレームを抽出すると、当該試験フレームをフレーム生成部２７２に供給する。
【００６７】
フレーム生成部２７２は、論理フレーム抽出回路２７１から試験フレームが供給されると、当該試験フレームに基づく試験応答フレームを生成して、ＭＵＸ２７４に供給する処理(書き込み処理)を行う。フレーム生成部２７２が、試験応答フレームに基づいて試験応答フレームを生成する処理の例は上述の通りである。
【００６８】
Ｄｕａｌポートメモリ２７３は、ＰＨＹチップ２８から供給されたフレームのデータを保持してＭＵＸ２７４に供給する処理（書き込み処理）を行う。
【００６９】
ＭＵＸ２７４は、Ｄｕａｌポートメモリ２７３及びフレーム生成部２７２から供給された（書き込まれた）フレームを多重化して、ブリッジ部２６を介してＭＰＣＰ送受信部２４に送信するものである。
【００７０】
ＭＵＸ２７４では、２つの供給元（フレーム生成部２７２及びＤｕａｌポートメモリ２７３）からフレーム（試験応答フレームを含む）のデータ供給を受けて出力する必要がある。したがって、少なくともＤｕａｌポートメモリ２７３へのデータ書込み速度よりも、Ｄｕａｌポートメモリ２７３からＭＵＸ２７４へのデータ書込み速度（転送速度）の方が速くなるように構成されていることが望ましい。例えば、Ｄｕａｌポートメモリ２７３へのデータ書込みに用いるクロック周波数より、ＭＵＸ２７４への書き込みに用いるクロックの周波数を高く設定するようにしても良い。  なお、ＵＮＩ送受信部２７内部のハードウェア構成については、図１の内容に限定されないものであり、試験フレームに基づく試験応答フレームを応答することができる構成であれば良い。
【００７１】
（Ａ−２）実施形態の動作
次に、以上のような構成を有するこの実施形態の光通信ネットワークシステム１の動作を説明する。
【００７２】
ここでは、まず、ＯＬＴ１０でＯＮＵ２０−１に対して信号導通試験を要求（信号導通試験要求を送信）することが決定されたものとする。以下では、例として、ＯＬＴ１０でＯＮＵ２０−１に対して信号導通試験を要求する場合の動作について、図５のシーケンス図を用いて説明するが、他のＯＮＵ２０に置き換えても同様の動作となるので説明を省略する。
【００７３】
なお、ＯＬＴ１０で、ＯＮＵ２０に対して信号導通試験を要求するタイミングについては限定されないものである。例えば、所定のタイミングごとにＯＬＴ１０が、各ＯＮＵ２０に対して信号導通試験を要求するようにしても良いし、システム管理者等の操作や外部装置（例えば、ネットワーク監視装置等）の要求に応じて、当該要求に対応するＯＮＵ２０に対して信号導通試験を要求するようにしても良い。
【００７４】
ＯＬＴ１０（ＭＰＣＰ送受信部１４）でＯＮＵ２０−１に対して信号導通試験を要求（信号導通試験要求を送信）することが決定されると（Ｓ１０１）、ＭＰＣＰ送受信部１４では、次にＯＮＵ２０−１宛のゲートフレームを生成する際に、ＯＮＵ２０−１への信号導通試験要求のデータを、リザーブ領域ＲＡＧに設定する（Ｓ１０２）。
【００７５】
そして、ＯＬＴ１０（ＭＰＣＰ送受信部１４）から、ＯＮＵ２０−１宛（ＭＰＣＰ送受信部２４）に、信号導通試験要求（シーケンス番号：１）を含むゲートフレームが送信される（Ｓ１０３）。
【００７６】
ステップＳ１０２でゲートフレームに設定される信号導通試験要求のデータでは、試験フラグが「１」、「試験タイプ」が「１」、「シーケンス番号」が「１」に設定されたものとする。なお、ＭＰＣＰ送受信部１４では、信号導通試験要求ごとに試験タイプの値を変更するようにしても良いが、図５のシーケンス図では、説明を簡易にするために、信号導通試験要求のデータに設定される試験タイプの値は全て「１」であるものとしている。信号導通試験要求のデータに設定される試験タイプの値が「１」の場合、当該信号導通試験要求を受信したＯＮＵ２０では、信号導通試験として、ＭＰＣＰ送受信部２４からＵＮＩ送受信部２７に対して一度だけ試験フレームを送信する試験を行うものとして以下の説明を行う。
【００７７】
そして、ＯＮＵ２０−１のＭＰＣＰ送受信部２４で、信号導通試験要求（シーケンス番号：１）を含むゲートフレームが受信されると、当該ゲートフレームに対応するレポートフレーム（信号導通試験結果報告は含まれていない）を生成してＯＬＴ１０に応答（Ｓ１０４）するとともに、当該ゲートフレームから信号導通試験要求のデータ（シーケンス番号及び試験タイプ）が取得される（Ｓ１０５）。
【００７８】
そして、ＭＰＣＰ送受信部２４では、信号導通試験要求のデータを取得すると、当該信号導通試験要求に基づく信号導通試験を実行するために、ＵＮＩ送受信部２７宛の試験フレームを生成し、送出する（ブリッジ部１６に供給する）（Ｓ１０６）。
【００７９】
そして、ＵＮＩ送受信部２７では、ＭＰＣＰ送受信部２４からの試験フレームを受信すると、当該試験フレームに応答するための試験応答フレームを生成して、送出する（ブリッジ部１６に供給する）（Ｓ１０７）。
【００８０】
そして、ＵＮＩ送受信部２７からの試験応答フレームを受信したＭＰＣＰ送受信部２４は、その受信結果に基づいて、試験結果データを生成して、当該信号導通試験要求のシーケンス番号（１）と対応付けて保持する（Ｓ１０８）。
【００８１】
そして、その後、ＯＬＴ１０でＯＮＵ２０−１宛のゲートフレーム（信号導通試験要求は含まれていない）が生成され、送出されたものとする（Ｓ１０９、Ｓ１１０）。
【００８２】
そして、ＯＬＴ１０からのゲートフレームを受信したＭＰＣＰ送受信部２４は、当該ゲートフレームに応答するレポートフレームを生成する際に、当該レポートフレームのリザーブ領域ＲＡＲに、信号導通試験結果報告のデータ（上述のステップＳ１１０で生成した試験結果データと、対応するシーケンス番号を含む）を設定する（Ｓ１１１）。
【００８３】
そして、ＯＮＵ２０−１（ＭＰＣＰ送受信部２４）からＯＬＴ１０（ＭＰＣＰ送受信部１４）宛に、信号導通試験報告（シーケンス番号：１）を含むレポートフレームが送信される（Ｓ１１２）。
【００８４】
そして、ＯＬＴ１０のＭＰＣＰ送受信部１４で、信号導通試験報告（シーケンス番号：１）を含むレポートフレームが受信されると、当該レポートフレームに含まれる信号導通試験報告のデータ（試験結果データ）が取得され、ＯＮＵ２０−１との信号導通試験の結果を得ることができる（Ｓ１１３）。
【００８５】
ＯＬＴ１０のＭＰＣＰ送受信部１４では、信号導通試験報告に含まれる試験結果データの結果が良好（１）であった場合には、今回はＯＮＵ２０−１と正常に信号導通確認が取れたと判断できる。
【００８６】
そして、ＯＬＴ１０でその後、ＯＮＵ２０−１との信号導通試験を行うと決定された場合の動作は、シーケンス番号がインクリメントされた値こと以外は、上述のステップＳ１０１〜Ｓ１１５と同様である。すなわち、ＯＬＴ１０で２回目にＯＮＵ２０−１と信号導通試験を行う場合には、信号導通試験要求及び信号導通試験結果報告に設定されるシーケンス番号は２となり、３回目であれば３となる。例えば、ＯＬＴ１０では、ＯＮＵ２０ごとに信号導通試験を行った回数をカウントするカウンタを備え、当該カウンタの値に基づいてシーケンス番号を設定するようにしても良い。
【００８７】
（Ａ−３）実施形態の効果
この実施形態によれば、以下のような効果を奏することができる。
【００８８】
光通信ネットワークシステム１では、ＯＬＴ１０と各ＯＮＵ２０との間のＭＰＣＰの処理で送受信されるフレーム（ゲートフレーム及びレポートフレーム）のリザーブエリア（空きエリア）を用いて、信号導通試験に関する処理を行うことで、従来の特許文献１の記載技術（ＰＨＹ−ＬＯＯＰ試験）のようなＯＮＵ内でのループ設定が不要となり、当該設定によるＰＯＮ上の主信号導通への影響が低減できると共に、ＯＮＵ２０のユーザネットワークＵＮ側のインタフェース（ＵＮＩ送受信部２７）までの信号導通試験が常時可能となる。つまり、ＯＬＴ１０と各ＯＮＵ２０との間のＭＰＣＰの処理で送受信されるフレーム（ゲートフレーム及びレポートフレーム）のリザーブエリア（空きエリア）を用いて、信号導通試験に関する処理を行なうことで、主信号を遮断せず容易に広範囲の構成要素の試験を行うことができる。
【００８９】
（Ｂ）他の実施形態
本発明は、上記の実施形態に限定されるものではなく、以下に例示するような変形実施形態も挙げることができる。
【００９０】
（Ｂ−１）上記の実施形態では、ゲートフレームの信号導通試験要求に設定する試験タイプのパラメータは固定であるものとして説明したが、ＯＬＴ１０側で任意の値を設定し、ＯＮＵ２０側で試験タイプの設定値に応じて異なる内容の信号導通試験を実行するようにしてもよい。
【００９１】
例えば、ＯＮＵ２０で、ユーザネットワークＵＮ側のインタフェース（ＵＮＩ送受信部２７及びＰＨＹチップ２８）を複数備えていた場合には、試験タイプの設定値に対応するインタフェースに対する信号導通試験を行うようにしてもよい。例えば、ＯＮＵ２０で２つのインタフェースを備えていた場合に、信号導通試験要求の試験タイプが１の場合には第１のインタフェースに対する信号導通試験を行い、試験タイプが２の場合には、第２のインタフェースに対する信号導通試験を行い、試験タイプが３の場合には、第１及び第２のインタフェースの両方に対する信号導通試験を行うといった処理を行うようにしてもよい。ＯＮＵ２０内で、インタフェースごとに異なるＭＡＣアドレスが付与されていれば、ＭＰＣＰ送受信部２４から第１のインタフェースと第２のインタフェースのそれぞれに対して別個に試験フレームの送信等の処理が可能である。このように、試験タイプのパラメータを利用して、ＯＬＴ１０側から詳細に信号導通試験の内容を指示することにより、より正確な信号導通試験を行うことが可能となる。
【００９２】
（Ｂ−２）上記の実施形態では、ＯＮＵ２０（ＭＰＣＰ送受信部２４）で、信号導通試験の結果に関わらず、ＯＬＴ１０へ信号導通試験結果報告を送信しているが、信号導通試験の結果が正常でない場合（例えば、試験フレームに対して正常に試験応答フレームが受信できない場合）には、信号導通試験結果報告を行わないようにしても良い。そして、ＯＬＴ１０側（ＭＰＣＰ送受信部１４）では、ＯＮＵ２０（ＭＰＣＰ送受信部２４）へ信号導通試験要求を送信してから、所定時間経過した以降のレポートフレームに当該信号導通試験要求のシーケンス番号に対応する信号導通試験結果報告がない場合、当該当該信号導通試験要求に基づく信号導通試験の結果はＮＧであったと判断するようにしても良い。このように、ＯＬＴ１０側（ＭＰＣＰ送受信部１４）で、単に信号導通試験結果報告の有無で試験結果を判断する場合には、信号導通試験結果報告から試験結果データの項目を省略し、試験フラグ自体が試験結果データとしても機能するようにしても良い。
【符号の説明】
【００９３】
１…光通信ネットワークシステム、１０…ＯＬＴ、１１…ＰＯＮ光送受信部、１２…ＰＯＮ送信部、１３…ＰＯＮ受信部、１４…ＭＰＣＰ送受信部、１５…ＯＡＭ送受信部、１６…ブリッジ部、１７…ＳＮＩ送受信部、１８…ＰＨＹチップ、２０、２０−１〜２０−Ｎ…ＯＮＵ、２１…ＰＯＮ光送受信部、２２…ＰＯＮ送信部、２３…ＰＯＮ受信部、２４…ＭＰＣＰ送受信部、２５…ＯＡＭ送受信部、２６…ブリッジ部、２７…ＵＮＩ送受信部、２８…ＰＨＹチップ、３０…光スプリッタ、４０…光ファイバ。
【図１】
2013175930.tif 000003
【図２】
2013175930.tif 000004
【図３】
2013175930.tif 000005
【図４】
2013175930.tif 000006
【図５】
2013175930.tif 000007